【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
物体側から順に、負のパワーを持つ第１レンズ、負のパワーを持つ第２レンズ、正のパワーを持つ第３レンズ、正のパワーを持つ第４レンズ、および第５レンズを備え、
前記第１レンズがガラスレンズであり、
前記第２レンズ、第４レンズ、および第５レンズがプラスチックレンズであり、
前記第２レンズ、第４レンズ、および第５レンズが、各レンズの少なくとも１つのレンズ面が非球面であることを特徴とする撮像レンズ。
【請求項２】
物体側から順に、負のパワーを持ち像側に凹面を向けたメニスカスレンズである第１レンズ、
少なくとも像側のレンズ面が非球面をなし負のパワーを持つ第２レンズ、
正のパワーを持ち、少なくとも物体側のレンズ面が非球面をなすとともに該レンズ面の中心が正のパワーを持ち、かつこのレンズ面が中心部よりも有効径周縁部の方が正のパワーが強い、もしくは、このレンズ面が、前記中心部と前記有効径周縁部との間に前記中心部よりも正のパワーが強い領域を持ち前記有効径周縁部は前記中心部よりも正のパワーが弱い第３レンズ、
少なくとも１つのレンズ面が非球面をなし、正のパワーを持つ第４レンズ、
少なくとも１つのレンズ面が非球面をなす第５レンズを備えたことを特徴とする撮像レンズ。
【請求項３】
前記第３レンズが、プラスチックレンズであり、少なくとも１つのレンズ面が非球面であることを特徴とする請求項１または２記載の撮像レンズ。
【請求項４】
以下の条件式（１）を満足することを特徴とする請求項１または２記載の撮像レンズ。
３．０＜ｆ３／ｆ＜９．０  ・・・（１）
ただし、
ｆ：前記撮像レンズ全系の焦点距離
ｆ３：前記第３レンズの焦点距離
【請求項５】
前記第３レンズと第４レンズの間に絞りが配置されていることを特徴とする請求項１または２記載の撮像レンズ。
【請求項６】
以下の条件式（２）を満足することを特徴とする請求項１または２記載の撮像レンズ。
νｄ３＜４５  ・・・（２）
ただし、
νｄ３：前記第３レンズのｄ線に対するアッベ数
【請求項７】
以下の条件式（３）を満足することを特徴とする請求項１または２記載の撮像レンズ。
νｄ５＜４５  ・・・（３）
ただし、
νｄ５：前記第５レンズのｄ線に対するアッベ数
【請求項８】
以下の条件式（４）を満足することを特徴とする請求項１または２記載の撮像レンズ。
２．５＜（Ｄ４＋Ｄ５）／ｆ＜５．５  ・・・（４）
ただし
Ｄ４：前記第２レンズと第３レンズの間の空気間隔
Ｄ５：前記第３レンズの中心肉厚
ｆ：前記撮像レンズ全系の焦点距離
【請求項９】
以下の条件式（５）を満足することを特徴とする請求項１または２記載の撮像レンズ。
−０．７５＜ｆ45／ｆ123＜０．４５  ・・・（５）
ただし、
ｆ123：前記第１レンズ、第２レンズ、および第３レンズの合成焦点距離
ｆ45：前記第４レンズ、および第５レンズの合成焦点距離
【請求項１０】
以下の条件式（６）を満足することを特徴とする請求項１または２記載の撮像レンズ。
０．５０＜Ｄ３／ｆ＜１．５  ・・・（６）
ただし、
Ｄ３：前記第２レンズの中心肉厚
ｆ：前記撮像レンズ全系の焦点距離
【請求項１１】
前記第２レンズの像側のレンズ面が、該レンズ面の中心が負のパワーを持ち、中心部よりも有効径周縁部の方が負のパワーが弱いことを特徴とする請求項１または２記載の撮像レンズ。
【請求項１２】
前記第２レンズの物体側のレンズ面が、該レンズ面の中心が正のパワーを持ち、中心部よりも有効径周縁部の方が正のパワーが弱いことを特徴とする請求項１または２記載の撮像レンズ。
【請求項１３】
前記第２レンズの物体側のレンズ面が、該レンズ面の中心が正のパワーを持ち、有効径周縁部が負のパワーを持つことを特徴とする請求項１または２記載の撮像レンズ。
【請求項１４】
前記第５レンズの物体側のレンズ面が、該レンズ面の中心が負のパワーを持ち、中心部よりも有効径周縁部の方が負のパワーが弱いことを特徴とする請求項１または２記載の撮像レンズ。
【請求項１５】
前記第５レンズの像側のレンズ面が、該レンズ面の中心が正のパワーを持ち、中心部よりも有効径周縁部の方が正のパワーが弱いことを特徴とする請求項１または２記載の撮像レンズ。
【請求項１６】
前記第５レンズが、負のパワーを持つメニスカスレンズであることを特徴とする請求項１または２記載の撮像レンズ。
【請求項１７】
以下の条件式（７）を満足することを特徴とする請求項１または２記載の撮像レンズ。
０．５０＜Ｄ４／ｆ＜２．０  ・・・（７）
ただし、
Ｄ４：前記第２レンズと第３レンズの間の空気間隔
ｆ：前記撮像レンズ全系の焦点距離
【請求項１８】
以下の条件式（８）を満足することを特徴とする請求項１または２記載の撮像レンズ。
−０．２５＜ｆ／ｆ５＜０．１０  ・・・（８）
ただし、
ｆ：前記撮像レンズ全系の焦点距離
ｆ５：前記第５レンズの焦点距離
【請求項１９】
以下の条件式（９）を満足することを特徴とする請求項１または２記載の撮像レンズ。
７＜Ｌ／ｆ＜１６  ・・・（９）
ただし、
ｆ：前記撮像レンズ全系の焦点距離
Ｌ：前記第１レンズの物体側のレンズ面から前記撮像レンズの結像面までの距離
【請求項２０】
前記請求項１または２記載の撮像レンズを備えた撮像装置。
【手続補正２】
【補正対象書類名】明細書
【補正対象項目名】０００６
【補正方法】変更
【補正の内容】
【０００６】
特許文献３に記載の撮像レンズは、広角化を達成するために物体側から順に３枚の負のパワーを持つレンズを配置しているため収差の補正が不十分である。
【手続補正３】
【補正対象書類名】明細書
【補正対象項目名】０００７
【補正方法】変更
【補正の内容】
【０００７】
特許文献４に記載の撮像レンズは、接合レンズに非球面レンズを用いているため高コストになってしまう。
【手続補正４】
【補正対象書類名】明細書
【補正対象項目名】０００８
【補正方法】変更
【補正の内容】
【０００８】
特許文献５に記載の撮像レンズは、実施例において６枚玉のレンズ系しか開示されておらず、６枚玉の構成を用いるとコストが高くなってしまう。
【手続補正５】
【補正対象書類名】明細書
【補正対象項目名】００１７
【補正方法】変更
【補正の内容】
【００１７】
前記撮像レンズは、第３レンズのｄ線に対するアッベ数νｄ３が以下の条件式（２）を満足するものとすることが望ましい。
νｄ３＜４５  ・・・（２）
【手続補正６】
【補正対象書類名】明細書
【補正対象項目名】００１８
【補正方法】変更
【補正の内容】
【００１８】
前記撮像レンズは、第５レンズのｄ線に対するアッベ数νｄ５が以下の条件式（３）を満足するものとすることが望ましい。
νｄ５＜４５  ・・・（３）
【手続補正７】
【補正対象書類名】明細書
【補正対象項目名】００７３
【補正方法】変更
【補正の内容】
【００７３】
同様に第３レンズＬ３の材質もプラスチックとすることが望ましい。第３レンズの材質をプラスチックとすることで、さらに軽量化、低コスト化を測ることが可能となる。
【手続補正８】
【補正対象書類名】明細書
【補正対象項目名】０１１６
【補正方法】変更
【補正の内容】
【０１１６】
◇条件式（８）：−０．２５＜ｆ／ｆ５＜０．１０は、色収差の補正等に関連するものである。
【手続補正９】
【補正対象書類名】明細書
【補正対象項目名】０２０５
【補正方法】変更
【補正の内容】
【０２０５】
また、遮光手段は、必要に応じて、第１レンズＬ１と第２レンズＬ２の間の空間に配置するようにしてもよい。さらに、遮光手段は、第２レンズＬ２〜第５レンズＬ５上の有効光線径外の領域、あるいはこれらのレンズ間に配置しても良い。
【手続補正１０】
【補正対象書類名】明細書
【補正対象項目名】０２４４
【補正方法】変更
【補正の内容】
【０２４４】
第４レンズの像側のレンズ面について、このレンズ面の有効径周縁部での曲率半径の絶対値をＲＸ９とし、中心部での曲率半径の絶対値をＲＱ９としたとき、ＲＸ９はＲＱ９の１．２倍以上の値であることが望ましい。ＲＸ９をＲＱ９の１．２倍以上の値とすることで、球面収差と像面湾曲を良好に補正することが可能となる。